(57)【要約】【課題】  基板の高さを上げることができ、コネクタが基板の下側に位置しても、コネクタにフレキシブルフラットケーブルを接続し易く、ローダーメカからの距離も上側に高くとれ、さらにコネクタにフレキシブルフラットケーブルを容易に差し込んで接続できる。【解決手段】  他のモデルの電気機器でシールド板をボス１に取り付けているものをビデオとＤＶＤが一体になっている電気機器に使用する場合におけるボスにコネクタ４が下側に実装されている基板３を取り付け、コネクタにフレキシブルフラットケーブル５を接続し、ボスの上端に基板を上側に位置するホルダー２を基板とともにビス７で取り付け、ホルダーの裏面側に補強用と位置決め用を兼ねた突条部２ｇが形成され、表面側の両側に基板を押える突片２ｅ、２ｆが設けられ、ホルダーにより基板が上側に位置された状態で基板の裏面側のコネクタにフレキシブルフラットケーブルが接続されるように構成した。【選択図】  図１
2008130332.tif 000002
【特許請求の範囲】
【請求項１】
他のモデルの電気機器でシールド板をボスに取り付けているものをビデオとＤＶＤが一体になっている電気機器に使用する場合における前記ボスにコネクタが下側に実装されている基板を取り付けて、このコネクタにフレキシブルフラットケーブルを接続するようにした電気機器の基板におけるコネクタとフレキシブルフラットケーブルの接続構造において、前記ボスの上端に前記基板を上側に位置するためのホルダーが前記基板とともにビス止めにより取り付けられ、前記ホルダーにはその裏面側に補強用と位置決め用を兼ねた突条部が形成されていると共にその表面側の両側に前記基板を上から押えるための突片が設けられており、前記ホルダーにより前記基板が上側に位置された状態で前記基板の裏面側のコネクタにフレキシブルフラットケーブルが接続されるように構成したことを特徴とする電気機器の基板におけるコネクタとフレキシブルフラットケーブルの接続構造。
【請求項２】
他のモデルの電気機器でシールド板をボスに取り付けているものをビデオとＤＶＤが一体になっている電気機器に使用する場合における前記ボスにコネクタが下側に実装されている基板を取り付けて、このコネクタにフレキシブルフラットケーブルを接続するようにした電気機器の基板におけるコネクタとフレキシブルフラットケーブルの接続構造において、前記ボスの上端に前記基板を上側に位置するためのホルダーが前記基板とともにビス止めにより取り付けられ、前記ホルダーにより上側に位置された基板の裏面側のコネクタにフレキシブルフラットケーブルが接続されるように構成したことを特徴とする電気機器の基板におけるコネクタとフレキシブルフラットケーブルの接続構造。
【請求項３】
前記フレキシブルフラットケーブルは、ＤＶＤを動かすための基板とメイン基板との接続のために使用されるケーブルである請求項２に記載の電気機器の基板におけるコネクタとフレキシブルフラットケーブルの接続構造。
【発明の詳細な説明】
【技術分野】
【０００１】
本発明は、他のモデルの電気機器でシールド板をボスに取り付けているものをビデオとＤＶＤが一体になっている電気機器に使用する場合における前記ボスにコネクタが下側に実装されている基板を取り付けて、このコネクタにフレキシブルフラットケーブルを接続するようにした電気機器の基板におけるコネクタとフレキシブルフラットケーブルの接続構造に関するものである。
【背景技術】
【０００２】
従来の電気機器の基板におけるコネクタとフレキシブルケーブルの接続構造は、図２に示すように、ビデオとＤＶＤが一体になっている電気機器では、コネクタ１０１が基板１０２の下側に位置し、この位置が低いためにフレキシブルフラットケーブルが差し込み難いという問題があった。また、ローダーメカ１０３が近くに位置するために、さらに差し込み難い構造となっているという問題があった。
【０００３】
第１の従来技術を図３に示す。この従来の回路基板におけるコネクタとフラットケーブルとの接続構造は、図３に示すように、回路基板２０１の端部近接箇所に配置されたコネクタ２０２にフラットケーブル２０３を接続するようにした回路基板におけるコネクタとフラットケーブルの接続構造において、回路基板２０１におけるコネクタ配置箇所の端面２０１ａに、フラットケーブル２０３の接続部２０３ａをコネクタ挿入位置まで案内する案内部４を設けている。（例えば、特許文献１参照）。
【０００４】
ところが、これにおいては、コネクタ２０２が回路基板２０１の上側に位置しているものであった。
【０００５】
第２の従来技術を図４に示す。この従来のプリント配線板は、図４に示すように、パネル基板３１１にはＴ字状のコネクタ基板３１２が切り離し可能に一体的に形成されている。コネクタ基板３１２には一般的なフラット接続型のコネクタ３０４が実装される。フロントパネル３２１の裏側には溝３２２を有する保持部３２３が突出成形される。このパネル基板３１１を組み立てるときは、コネクタ基板３１２を切り離し、その向きをコネクタ３０４が上側になるように変える。次にコネクタ基板３１２の先端を保持部３２３の溝３２２に挿入する。ここでコネクタ３０４の接続口３０４ａは後側に向いているので、容易にフラットケーブル３０３を接続口３０４ａに挿入して接続することができる。（例えば、特許文献２参照）。
【０００６】
ところが、これにおいては、コネクタ３０４がコネクタ基板３１２の上側に位置しているものであった。
【０００７】
第３の従来技術を図５に示す。この従来のコネクタホルダは、図５に示すように、プリント基板４０１に取り付けたコネクタ４０２を固着するホルダ４０３を略コの字形に形成し、ホルダ４０３にコネクタ４０２の取付部４０２ａを開口する第１の切欠部４０３ａと、コネクタ２の接続部４０２ｂを開口する第２の切欠部４０３ｂと、この第２の切欠部４０３ｂに上記コネクタ４０２上面を押圧する突起部４０３ｃとを設けて構成したものである。（例えば、特許文献３参照）。
【０００８】
ところが、これにおいては、コネクタ４０２がプリント基板４０１の上側に位置するものであった。
【特許文献１】実用新案登録第３０４５１４０号公報
【特許文献２】特開平９−２６６３５８号公報
【特許文献３】実開平５−６９９８７号公報
【発明の開示】
【発明が解決しようとする課題】
【０００９】
本発明は、上記従来の問題に鑑みてなされたものであって、基板の高さを上げることができ、コネクタが基板の下側に位置していても、このコネクタにフレキシブルフラットケーブルを接続し易く、ローダーメカからの距離も上側に高くとれて、さらにコネクタにフレキシブルフラットケーブルを容易に差し込んで接続することができる電気機器におけるコネクタとフレキシブルフラットケーブルの接続構造を提供することを目的としている。
【課題を解決するための手段】
【００１０】
本発明は、上記課題を解決するために提案されたものであって、請求項１に記載の発明は、他のモデルの電気機器でシールド板をボスに取り付けているものをビデオとＤＶＤが一体になっている電気機器に使用する場合における前記ボスにコネクタが下側に実装されている基板を取り付けて、このコネクタにフレキシブルフラットケーブルを接続するようにした電気機器の基板におけるコネクタとフレキシブルフラットケーブルの接続構造において、前記ボスの上端に前記基板を上側に位置するためのホルダーが前記基板とともにビス止めにより取り付けられ、前記ホルダーにはその裏面側に補強用と位置決め用を兼ねた突条部が形成されていると共にその表面側の両側に前記基板を上から押えるための突片が設けられており、前記ホルダーにより前記基板が上側に位置された状態で前記基板の裏面側のコネクタにフレキシブルフラットケーブルが接続されるように構成したことを特徴としている。
【００１１】
請求項２に記載の発明は、他のモデルの電気機器でシールド板をボスに取り付けているものをビデオとＤＶＤが一体になっている電気機器に使用する場合における前記ボスにコネクタが下側に実装されている基板を取り付けて、このコネクタにフレキシブルフラットケーブルを接続するようにした電気機器の基板におけるコネクタとフレキシブルフラットケーブルの接続構造において、前記ボスの上端に前記基板を上側に位置するためのホルダーが前記基板とともにビス止めにより取り付けられ、前記ホルダーにより上側に位置された基板の裏面側のコネクタにフレキシブルフラットケーブルが接続されるように構成したことを特徴としている。
【００１２】
請求項３に記載の発明は、請求項２に記載の発明において、前記フレキシブルフラットケーブルは、ＤＶＤを動かすための基板とメイン基板との接続のために使用されるケーブルである。
【発明の効果】
【００１３】
請求項１に記載の発明によれば、ボスの上端にホルダーを配置し、このホルダーの上に基板を配置してビス止めで取り付けるようにしたから、基板の位置を高くすることができて、この基板の下側に実装されたコネクタにフレキシブルフラットケーブルを容易に差し込んで接続することができる。また、ローダーメカに対する基板の位置を高くすることができるからさらに基板の下側のコネクタにフレキシブルフラットケーブルを差し込み易くて容易に接続することができる。更に、ホルダーには補強用の突条部が形成されているから、このホルダーの強度を強くすることができる。また、この突条部でボスに対する位置決めを行い易くできる。更に、ホルダーには基板を上から押えるための突片が設けられているから、ホルダーによる基板の保持を安定したものとすることができる。
【００１４】
請求項２に記載の発明によれば、ボスの上端にホルダーを位置し、このホルダーの上に基板を配置してビス止めで取り付けるようにしたから、基板の位置を高くすることができて、この基板の下側に実装されたコネクタにフレキシブルフラットケーブルを容易に差し込んで接続することができる。また、ローダーメカに対する基板の位置を高くすることができるからさらに基板の下側のコネクタにフレキシブルフラットケーブルを差し込み易くて容易に接続することができる。
【００１５】
請求項３に記載の発明によれば、フレキシブルフラットケーブルが、ＤＶＤを動かすための基板とメイン基板との接続のために使用されるケーブルであるから、これに対するコネクタがローダーメカの近くにおける基板の下側に位置していても、ホルダーによって基板が上側に位置しているために、ローダーメカにかかわらずにコネクタにフレキシブルフラットケーブルを差し込んで容易に接続することができる。
【発明を実施するための最良の形態】
【００１６】
以下、本発明に係る電気機器の基板におけるコネクタとフレキシブルフラットケーブルの接続構造の実施の形態について、図を参照しつつ説明する。
【００１７】
図１は本発明の実施形態の電気機器の基板におけるコネクタとフレキシブルフラットケーブルの接続構造を示し、（ａ）はその全体の構成を示す斜視図、（ｂ）はそのホルダーを表側から見た斜視図、（ｂ）はそのホルダーを裏側から見た斜視図である。
【００１８】
本実施形態の電気機器の基板におけるコネクタとフレキシブルフラットケーブルの接続構造は、図１（ａ）に示すように、テレビとの複合モデルに使用されるＤＶＤのメカであって、上側にシールド板が付けられていたボス１の穴にホルダー２を介して基板３が取り付けられるようになっている。基板３の下側にはコネクタ４が取り付けられ、このコネクタ４にＤＶＤを動かすための基板３とメイン基板（図示略）との接続のために使用されるフレキシブルフラットケーブル５が差し込まれて接続されている。
【００１９】
ホルダー２は基板３を上側に位置するためのものであり、基板３が近傍のローダーメカ６より高くなるようにホルダー２が用いられている。このホルダー２は図１（ｂ）（ｃ）に示すように、細板状の基部２ａの両側に段部を介して平坦な基板載置部２ｂ、２ｂが設けられ、この基板載置部２ｂ、２ｂにボス１の穴にビス７を挿入するための貫通穴２ｃ、２ｃが形成されている。基板載置部２ｂ、２ｂの端部には基板受け用壁部２ｄ、２ｄが立設されており、この基板受け用壁部２ｄ、２ｄの手前部分の上端に基板３を押えるための突片２ｅ、２ｆが設けられている。また、このホルダー２の基部２ａの裏側には、補強用と位置決め用を兼ねた突条部２ｇが形成されている。図１（ａ）に示すように、ホルダー２の突状部２ｇがボス１に当接して位置決めされた状態で基板３をホルダー２の基板載置部２ｂ、２ｂに載置し、突片２ｅ、２ｆで基板３が押えられた状態でビス７を基板３のビス孔（図示略）に挿入してその先端をボス１の穴にねじ込むことによって、ホルダー２を介して基板３が取り付けられるようになっている。
【００２０】
従って、本実施形態によれば、ボス１の上端にホルダー２を配置し、このホルダー２の基板載置部２ｂ、２ｂ上に基板３を配置してビス７で取り付けるようにしたから、基板３の位置を高くすることができて、この基板３の下側に実装されたコネクタ４にフレキシブルフラットケーブル５を容易に差し込んで接続することができる。また、ローダーメカ６に対する基板３の位置を高くすることができるからさらに基板３の下側のコネクタ４にフレキシブルフラットケーブル５を差し込み易くて容易に接続することができる。更に、ホルダー２には補強用の突条部２ｇが形成されているから、このホルダー２の強度を強くすることができる。また、この突条部２ｇでボス１に対する位置決めを行い易くできる。更に、ホルダー２には基板３を上から押えるための突片２ｅ、２ｆが設けられているから、ホルダー２による基板３の保持を安定したものとすることができる。また、フレキシブルフラットケーブル５が、ＤＶＤを動かすための基板３とメイン基板との接続のために使用されるケーブルであるから、これに対するコネクタ４がローダーメカ６の近くにおける基板３の下側に位置していても、ホルダー２によって基板３が上側に位置しているために、ローダーメカ６にかかわらずにコネクタ４にフレキシブルフラットケーブル５を差し込んで容易に接続することができる。
【図面の簡単な説明】
【００２１】
【図１】本発明の実施形態の電気機器の基板におけるコネクタとフレキシブルフラットケーブルの接続構造を示し、（ａ）はその全体の構成を示す斜視図、（ｂ）はそのホルダーを表側から見た斜視図、（ｂ）はそのホルダーを裏側から見た斜視図である。
【図２】従来の電気機器の基板におけるコネクタとフレキシブルフラットケーブルの接続構造を示す部分斜視図である。
【図３】従来の回路基板におけるコネクタとフラットケーブルの接続構造を示す斜視図である。
【図４】従来のプリント配線板におけるコネクタとフラットケーブルの接続状態を示す斜視図である。
【図５】従来のコネクタホルダの斜視図である。
【符号の説明】
【００２２】
１      ボス
２      ホルダー
２ａ    基部
２ｂ    基板載置部
２ｃ    貫通穴
２ｄ    基板受け用壁部
２ｅ    突片
２ｆ    突片
２ｇ    突条部
３      基板
４      コネクタ
５      フレキシブルフラットケーブル
６      ローダーメカ
７      ビス
【図１】
2008130332.tif 000003
【図２】
2008130332.tif 000004
【図３】
2008130332.tif 000005
【図４】
2008130332.tif 000006
【図５】
2008130332.tif 000007